(57)【要約】【課題】層間変位を吸収することができ、しかも上下方向には実質的に動かない建材施工構造を提供する。【解決手段】レール取付金具４をアンカーボルト２によって壁面１に取り付け、主レール１０を該レール取付金具４に嵌合させてビス９留めする。次いで、副レール２０を該主レール１０にスライド嵌めさせた後、接着剤３０を副レール２０の前面の接着剤塗布厚み指示部１６に従って起立片１２及び副レール２０の前面の凹凸面に塗布する。次いで、タイル４０を、その下端をタイル載荷片１４上に載せながら接着剤３０を介して起立片１２及び副レール２０に接着する。【選択図】図２
2005273258.tif 000002
【特許請求の範囲】
【請求項１】
建築物躯体の壁面に取付金具を取り付け、この取付金具に板状建材を取り付けた建材施工構造において、
該板状建材が上下方向及び出入方向に実質的に移動不能であり、
板状建材の上部及び下部の一方が左右方向に移動可能となっていることを特徴とする建材施工構造。
【請求項２】
請求項１において、該取付金具は、該壁面に固定された主レールと、該主レールに対し左右方向にスライド可能に装着された副レールとからなり、
該主レールに対し板状建材の上部及び下部の一方が取り付けられ、副レールに対し板状建材の該上部及び下部の他方が取り付けられていることを特徴とする建材施工構造。
【請求項３】
請求項２において、該板状建材は主レール及び副レールにそれぞれ接着されていることを特徴とする建材施工構造。
【請求項４】
請求項２又は３において、該主レール及び副レールは複数枚の板状建材に跨がる長さのものであることを特徴とする建材施工構造。
【発明の詳細な説明】
【技術分野】
【０００１】
本発明は、レールを用いてタイル等の板状建材を建築物の壁面に取り付けた建材施工構造に係り、特に層間変位を吸収し得るように構成された建材施工構造に関する。
【背景技術】
【０００２】
建築物の壁面に層間変位を吸収し得るように板状建材を取付施工した構造として、該壁面に横向きＴ字形断面形状の金具を固設すると共に、板状建材（壁パネル）の裏面の４コーナー部にフック状の金具を掛止及び接着により取り付け、このフック状の金具を該横向きＴ字形断面形状の金具に掛止した構造が特開平２−２０４５６６号公報（特許第２７６８７１６号）に記載されている。
【０００３】
同号公報では、壁パネルの上段側のフック状金具が左右方向にスライド可能となっており、これにより地震時等における層間変位が吸収可能となっている。
【特許文献１】特開平２−２０４５６６号公報
【発明の開示】
【発明が解決しようとする課題】
【０００４】
上記特開平２−２０４５６６号公報の壁パネル取付構造にあっては、壁パネルの上端に接着した金具（取付具）と、壁面側に固定された金具との上下方向の隙間が比較的大きく、壁パネルが上下方向にも動き得るものとなっている。
【０００５】
本発明は、層間変位を吸収することができ、しかも上下方向には実質的に動かない建材施工構造を提供することを目的とする。
【課題を解決するための手段】
【０００６】
本発明（請求項１）の建材施工構造は、建築物躯体の壁面に取付金具を取り付け、この取付金具に板状建材を取り付けた建材施工構造において、該板状建材が上下方向及び出入方向に実質的に移動不能であり、板状建材の上部及び下部の一方が左右方向に移動可能となっていることを特徴とするものである。
【０００７】
請求項２の建材施工構造は、請求項１において、該取付金具は、該壁面に固定された主レールと、該主レールに対し左右方向にスライド可能に装着された副レールとからなり、該主レールに対し板状建材の上部及び下部の一方が取り付けられ、副レールに対し板状建材の該上部及び下部の他方が取り付けられていることを特徴とするものである。
【０００８】
請求項３の建材施工構造は、請求項２において、該板状建材は主レール及び副レールにそれぞれ接着されていることを特徴とするものである。
【０００９】
請求項４の建材施工構造は、請求項２又は３において、該主レール及び副レールは複数枚の板状建材に跨がる長さのものであることを特徴とするものである。
【発明の効果】
【００１０】
本発明の建材施工構造にあっては、板状建材が上下方向及び出入方向に実質的に移動不能であり、板状建材が上下方向に動くことがない。この建材施工構造にあっては、板状建材の上部及び下部の一方が左右方向に移動可能であるため、層間変位を吸収することができる。
【００１１】
なお、請求項２の建材施工構造にあっては、副レールが主レールに対し左右方向にスライドすることにより、層間変位が吸収される。
【００１２】
請求項３の建材施工構造にあっては、板状建材が主レール及び副レールにそれぞれ接着されているため、主レールを壁面に固定しておき、この主レールに対し副レールを係合させて装着した後に、該主レール及び副レールに対し板状建材を接着するようにして板状建材を取付施工することができる。このようにすれば、主レール及び副レールを板状建材とは別個に、それ単独で取付施工するので、この取付作業が容易である。また、板状建材を現場で主レール及び副レールに接着するので、現場寸法に合わせて板状建材を切断加工することもできる。
【００１３】
請求項４のように主レール及び副レールを板状建材複数枚に跨がる長尺物とすることにより、副レールが主レールに対し極めてスムーズにスライドするようになる。また、副レールの取付作業効率が向上する。
【発明を実施するための最良の形態】
【００１４】
以下、図面を参照して実施の形態について説明する。図１は実施の形態に係る建材施工構造を示す縦断面図、図２はその分解斜視図である。
【００１５】
図１に示すように、建築物の躯体壁面１に沿って板状建材としてのタイル４０が複数枚上下方向に多段に且つ左右方向に多列に配設され、主レール１０及び副レール２０からなる板状建材取付金具と、該主レール１０を躯体壁面１に固定するレール取付金具４とを介して該躯体壁面１に取付施工されている。
【００１６】
該躯体壁面１にはアンカーボルト２が設けられ、このアンカーボルト２とナット３によってレール取付金具４が躯体に固定設置されている。
【００１７】
このレール取付金具４は、躯体壁面に沿う縦片部５と、該縦片部５から水平に前方へ突出する２葉の横片部６，７とを有した略Ｆ字形状のものである。
【００１８】
この横片部６，７は上下に間隔をおいて設けられている。縦片部５には上下方向に長い長孔５ａが設けられている。アンカーボルト２が該長孔５ａに挿通され、ナット３が締め込まれることにより、レール取付金具４が壁面１に固定される。
【００１９】
なお、図１では、縦片部５の上端側に横片部６，７を配置しているが、上下逆にして横片部６，７を縦片部５の下端側に配置してもよい。ただし、後述のビス留め作業を容易とするためには、図示のように横片部６，７を縦片部５の上端側に位置させるのが好ましい。
【００２０】
横片部６，７には、それぞれ前後方向に長い長孔６ａ，７ａが設けられている。
【００２１】
レール取付金具４は、壁面に沿う水平方向幅が５０〜８０ｍｍ程度のピース物であるが、寸法はこれに限定されない。レール取付金具４は、壁面１の同一高さに所定間隔をおいて複数個取り付けられる。また、レール取付金具４は、上下方向にもタイル配列ピッチにて多段に取り付けられる。
【００２２】
この実施の形態では、主レール１０及び副レール２０は、複数枚のタイル４０に跨がる長尺物となっている。この主レール１０は、長手方向を左右方向として、レール取付金具４と同様にタイル配列ピッチにて上下多段に配列され、同一高さに配置された複数個のレール取付金具４によって躯体壁面１に保持されている。
【００２３】
各レール取付金具４に対し主レール１０の箱型部１１が挿入され、ビス９によって固定されている。
【００２４】
この主レール１０は、略長方形の鉛直断面形状の該箱型部１１と、該箱型部１１の前端上縁から上方に起立する起立片１２と、箱型部１１の前端下縁から下方に垂下する垂下片１３と、箱型部１１の前面から前方へ突出するタイル載荷片１４等を有する。
【００２５】
この箱型部１１の上下幅は、横片部６，７の間隔と同一か極くわずか小さいものとなっており、この箱型部１１が横片部６，７間にほぼぴったりと嵌合する。横片部６の長孔６ａを通してビス９を箱型部１１に螺じ込むことにより、主レール１０がレール取付金具４に固定される。なお、箱型部１１の最後部の上下両面には極く低い高さの突起１１ａが設けられ、横片部６，７の前端部の対向面に同様の高さの突起６ｂ，７ｂが設けられている。これらの突起１１ａ，６ｂ，７ｂは、ビス９を打つ前の段階で主レール１０が横片部６，７間から抜けることを防止するためのものである。
【００２６】
この垂下片１３に対し副レール２０が係合している。この副レール２０は、垂下片１３に重なる主板部２１と、該主板部２１の下端から後方にＬ字形に突設された下係合片２２と、主板部２１の上端から後方にＬ字形に突設された上係合片２３とを有する。
【００２７】
この上係合片２３は、主板部２１の上端から後方へ水平に突設された水平部２３ａと、該水平部２３ａの後端から上方へ起立する立上部２３ｂとを有する。この上係合片２３は、箱型部１１の前端下部に設けられた差込部１５内に差し込まれている。この上係合片２３の水平部２３ａが、この差込部１５に臨む上向き面１５ａに載荷されて掛止されていると共に、立上片２３ｂは、差込部１５内に食い込む略水平な突片１５ｂによって前方への移動が阻止されている。
【００２８】
下係合片２２は、主板部２１の下端から後方へ水平に張り出す水平部２２ａと、この水平部２２ａの後端から上方へ立ち上がる立上部２２ｂとを有する。主レール１０の垂下片１３の下端が、この主板部２１の下端部と立上部２２ｂとの間に入り込む。
【００２９】
この副レール２０は、主レール１０に対し壁面に沿って水平方向からスライドしながら係合される。主レール１０に装着された副レール２０の主板部２１の前面は、前記起立片１２の前面と面一となっている。
【００３０】
また、図１の通り、前記差込部１５内に差し込まれた上係合片２３の立上部２３ｂと該差込部１５内に食い込む突片１５ｂとの間隔、並びに、該上係合片２３の水平部２３ａが該差込部１５の上向き面１５ａに係止された状態における下係合片２２の水平部２２ａと主レール１０の垂下片１３の下端との間隔は、それぞれ極く小さなものとなっており、主レール１０に装着された副レール２０は、上下方向及び出入方向には実質的に移動不能である。
【００３１】
この起立片１２及び副レール２０の主板部２１の前面には、接着剤付着強度増大用の凹凸１２ｒ，２１ｒが形成されている。この凹凸は、多数本の細幅の凹条を水平方向に延設することにより形成されている。
【００３２】
この起立片１２及び副レール２０に接着剤３０が塗布され、タイル４０が接着される。各タイル４０は、上部が上段側の副レール２０に接着され、下部が下段側の主レール１０の起立片１２に接着される。なお、タイル４０の裏面には、タイル４０が万一割れても飛散しないようにするための飛散防止材４１が付着されている。
【００３３】
この接着剤３０を規定厚みに均一に塗着するために、塗布厚み指示部１６が主レール１０に設けられている。この指示部１６は、この実施の形態では、起立片１２の前面及び副レール２０の前面を箱型部１１の前面よりも接着剤塗布厚み分だけ後退させることにより形成されている。即ち、この実施の形態では、箱型部１１の該前面が該接着剤塗布厚みの指示部１６となっている。起立片１２の前面及び副レール２０の前面に接着剤３０を塗布するに際し、鏝などの工具をこの指示部１６に当てて掃引することにより、接着剤１６を容易に規定厚みに塗布することができる。
【００３４】
この建材（タイル）施工構造とするには、レール取付金具４をアンカーボルト２によって壁面１に取り付け、主レール１０を該レール取付金具４に嵌合させてビス９留めする。次いで、副レール２０を該主レール１０にスライド嵌めさせた後、接着剤３０を起立片１２及び副レール２０に塗布する。次いで、タイル４０を、その下端をタイル載荷片１４上に載せながら接着剤３０を介して起立片１２及び副レール２０に接着する。
【００３５】
このようにして構成された建材施工構造においては、地震時等に建築物が横揺れした場合、各タイル４０の上部が接着された副レール２０が主レール１０に沿って左右方向にスライドし、各タイル４０の上部の左右方向への移動を許容する。これにより、地震時等における各タイル４０の層間変位が吸収される。
【００３６】
この建材施工構造にあっては、各タイル４０は上下方向及び出入方向に実質的に移動不能である。そのため、各タイル４０が上下方向に動くことがない。
【００３７】
この実施の形態では、各タイル４０が主レール１０及び副レール２０にそれぞれ接着されているため、主レール１０を躯体壁面１に固定しておき、この主レール１０に対し副レール２０を係合させて装着した後に、該主レール１０及び副レール２０に対しタイル４０を接着するようにして取付施工している。このようにすれば、主レール１０及び副レール２０をタイル４０とは別個に、それ単独で取付施工するので、この取付作業が容易である。また、タイル４０を現場で主レール１０及び副レール２０に接着するので、現場寸法に合わせてタイル４０を切断加工することもできる。
【００３８】
また、この実施の形態では、主レール１０及び副レール２０は複数枚のタイル４０に跨がる長尺物となっているので、副レール２０が主レール１０に対し極めてスムーズにスライドする。また、副レール２０の取付作業を効率良く行うことができる。
【００３９】
この実施の形態では、起立片１２及び副レール２０に凹凸１２ｒ，２１ｒが形成されているので、タイル４０の起立片１２及び副レール２０に対する接着強度が高い。また、接着剤３０が規定厚みに塗布されているので、接着剤にムラがなく、タイル接着強度、信頼性が極めて高いものとなる。
【００４０】
この実施の形態ではタイル４０の上部が左右方向に移動可能となっているが、各主レール１０を上下逆に配置し、タイル４０の下部を副レール２０によって保持するようにすることにより、タイル４０の下部が左右方向に移動可能とされてもよい。
【００４１】
この実施の形態では建材としてタイルが用いられているが、石材など他の板状建材であってもよい。
【図面の簡単な説明】
【００４２】
【図１】実施の形態に係る建材施工構造を示す縦断面図である。
【図２】図１の構造を説明する分解斜視図である。
【符号の説明】
【００４３】
１  躯体壁面
４  レール取付金具
５  縦片部
６，７  横片部
９  ビス
１０  主レール
１１  箱型部
１２  起立片
１３  垂下片
２０  副レール
３０  接着剤
４０  タイル
【図１】
2005273258.tif 000003
【図２】
2005273258.tif 000004